(57)【特許請求の範囲】
【請求項１】
ベルトが装着されるベルト取付本体にフック片を有するフック部材を固着するとともに、ベルトの先端に取り付けられた係合リングを上記フック部材に係合するようにしたベルト取着装置において、上記フック部材に、上記フック片に係合された係合リングに係合しその係合リングを保持固定する弾性保持片を設け、
フック部材には、その外面に一側方に開口する断面U字状のフック片が形成されるとともに、そのフック片の背面側に、弾性を有しかつフック片側に開口する断面弧状の弾性保持片が形成されており、上記フック片に係合された係合リングをフック片の軸線周りに揺動させることにより、係合リングの係止杆部がフック片と弾性保持片との間隙を通って弾性保持片とフック片との間に挿入され、上記弾性保持片に係止保持されるようにしたことを特徴とする、ベルト取着装置。
【請求項２】
フック部材は円柱状部材に取り付けられるように断面半円弧状に形成されており、上記係合リングは、上記フック部材に係合装着されたときにそのフック部材の外周面に沿うように湾曲されていることを特徴とする、請求項１記載のベルト取着装置。
【発明の詳細な説明】
【０００１】
【発明の属する技術分野】
本発明は、例えばベビーカーのシートにおける背当て部を支持しリクライニング機構を構成するようにしたベルトのベルト取付本体への取着装置に関する。
【０００２】
【従来の技術及び発明が解決しようとする課題】
図４は、一般的なベビーカー本体の概略構成を示す斜視図であり、そのベビーカーは、前輪１１を有する左右一対の前脚１２、後輪１３を有する左右一対の後脚１４、ほぼU字状に屈曲された手押し杆１５、左右一対のアームレスト１６、及びその両アームレスト１６、１６の間に掛け渡された着脱可能なガードアーム１７によって構成されている。上記手押し杆を構成する左右のパイプ１８の先端近傍部にはそれぞれ上記アームレスト１６の一端が枢着されており、その各アームレスト１６の他端に前脚１２の頂端部が枢着されている。また、左右の後脚１４の頂端部も上記アームレスト１６の中間部に枢着されており、その後脚１４の中間部にはく字状に屈曲されたブラケット１９の一端が枢着されている。そして、そのブラケット１９の中間位置に前記手押し杆１５を構成する左右のパイプ１８の先端部がそれぞれ枢着されており、ベビーカーの展開状態において、上記ブラケット１９の他端に形成された係合部に上記パイプ１８の下端部に摺動可能に装着されたロック部材２０が係合し、その展開状態を維持するようにしてある。
【０００３】
一方、上記左右の前脚１２は前側連結バー２１によって連結されており、左右の後脚１４は後側連結バー２２によって連結されている。さらに、各前脚１２の中間部には連結バー２３の前端が枢着され、その連結バー２３の後端が上記ブラケット１９とともにパイプ１８の先端部に枢着され、また左右の連結バー２３の中間部が上側連結バー２４によって連結されている。
【０００４】
しかして、図４に示すように、パイプ１８の下端に設けられているロック部材２０をブラケット１９の上端に設けられている係止部に係合することによって、ベビーカーが使用可能な展開状態に保持される。一方、手押し杆１５に設けられている操作装置２５を操作することにより上記ロック部材２０とブラケット１９との係合が離脱されると、アームレスト１６及び連結バー２３が前記パイプ１８との各枢着点を中心として上方に揺動可能となり、前脚１２と後脚１４とがほぼ平行状態に揺動され、携帯に便利なように折り畳むことができる。
【０００５】
ところで、このようなベビーカーを使用する場合には、図５に示すように、背当て２６aを一体的に形成したシート２６をベビーカー本体に装着し、左右のパイプ１８の中間部に取り付けられているベルト２７によって上記背当て２６aを適宜支持させ、リクライニングの調節をしている。
【０００６】
ところが、最近チャイルドシートをベビーカーのシートとして使用することが行われている。すなわち、図６に示すように、ベビーカー本体にチャイルドシート２８を適宜装着し、そのチャイルドシート２８をベビーカーのシートとすることがある。しかし、このようにチャイルドシートを使用する場合には前記リクライニング機構を構成するベルト２７は不要であり、むしろ邪魔であるけれども、上記ベルト２７は一般にパイプ１８に固着されており、その取り外しができない等の問題がある。また、着脱可能なものでもピンで取り付けられているため、部品点数が多くなり、さらにリクライニング用のベルトを取り外して収納する場合には、そのピンを紛失する可能性もある等の問題がある。
【０００７】
本発明は、このような点に鑑み、極めて簡単な構成によって着脱可能なベルト取着装置を得ることを目的とする。
【０００８】
【課題を解決するための手段】
請求項１に係る発明は、ベルトが装着されるベルト取付本体にフック片を有するフック部材を固着するとともに、ベルトの先端に取り付けられた係合リングを上記フック部材に係合するようにしたベルト取着装置において、上記フック部材に、上記フック片に係合された係合リングに係合しその係合リングを保持固定する弾性保持片を設け、フック部材には、その外面に一側方に開口する断面U字状のフック片が形成されるとともに、そのフック片の背面側に、弾性を有しかつフック片側に開口する断面弧状の弾性保持片が形成されており、上記フック片に係合された係合リングをフック片の軸線周りに揺動させることにより、係合リングの係止杆部がフック片と弾性保持片との間隙を通って弾性保持片とフック片との間に挿入され、上記弾性保持片に係止保持されるようにしたことを特徴とする。
【００１０】
請求項２に係る発明は、請求項１に係る発明において、フック部材は円柱状部材に取り付けられるように断面半円弧状に形成されており、上記係合リングは、上記フック部材に係合装着されたときにそのフック部材の外周面に沿うように湾曲されていることを特徴とする。
【００１２】
【発明の実施の形態】
以下、図１乃至図３を参照して本発明の実施の形態について説明する。
図１は、例えばベビーカー本体の手押し杆を構成するパイプ１８にベルト２７を取着した状態を示す斜視図であって、上記パイプ１８には、図２の（A）、（B）に示すようなフック部材３０が装着されている。上記フック部材３０は弧状に形成され、上記パイプ１８に嵌装され図示しないピン等によって固着されており、その外周面には周方向に開口し断面ほぼU字状のフック片３１が一体に形成されている。上記フック片３１の背面側にはさらにそのフック片３１と平行に断面半円弧状の弾性保持片３２が設けられており、その弾性保持片３２の先端と前記フック片３１の背面との間には後述する係合リングの係止杆部の径よりも若干狭い間隙３３が設けられている。
【００１３】
一方、ベルト２７の先端には係合リング３４が装着されている。上記係合リング３４はほぼ四角のリング状に形成されており、その基端部にベルト２７が巻装装着されている。上記係合リング３４の上下枠部３４a、３４aはその先端側が狭くなるように中間部に段部３４b、３４bが形成されており、その上下枠部３４a、３４aの先端部に上記上下枠部３４a、３４aを連結する係合杆３５が形成され、上下枠部３４a、４５aの中間部に上記段部３４ｂ、３４b間を連結する係止杆３６が設けられている。また、係合リング３４はフック部材３０に沿って湾曲されており、図２の（B）に示すようにベルト２７をパイプ１８に装着したときに係合リング３４がフック部材３０の外周に添接するようにしてある。
【００１４】
しかして、パイプ１８にベルト２７を装着する場合には、図２の（A）に示すように、係合リング３４の係合杆３５をフック部材３０のフック片３１に係合させる。その後ベルト２７を矢印方向に回動させると、係止杆３６によって弾性保持片３２がその弾性により拡開され係止杆３６がフック片３１と弾性保持片３２の先端との間隙３３を通って弾性保持片３２とフック片３１との間に挿入され、その係止杆３６が弾性保持片３２によって図２の（B）に示すように係止保持される。したがって、係合リング３４がフック部材３０から簡単に外れるようなことはない。
【００１５】
一方、ベルト２７をパイプ１８から取り外す場合には、ベルト２７を介して係合リング３４を図２の（B）の矢印と反対方向に回動させると、弾性保持片３２がその弾性によって間隙３３が開く方向に揺動され、係止杆３６が弾性保持片３２から離脱する。したがって、係合杆３５をフック片３１との係合から離脱させることによって容易にベルト２７をパイプ１８から取り外すことができる。また、上記係合リング３４が前述のように湾曲されているので、間違って係合リング３４を裏返した状態でフック部材３０に装着した場合には、係合リング３４が外側に反った状態となり容易にその取付間違いを認識することができる。
【００１６】
図３は本発明の他の実施の形態を示す図であり、パイプ１８にはその外面にパイプ１８の軸線方向に延びるフック片４１を有するフック部材４０が固着されている。上記フック片４１の裏面には軸線方向に延びる突条４２が形成されており、その突条４２の両側と前記パイプ１８との間に間隙が設けられている。
【００１７】
一方、ベルト２７の先端には係合リング４３が取り付けられている。上記係合リング４３にはベルト取付部４４の先端側にリング状の係合部４５が一体的に形成され、さらにその係合部４５の先端側に、下端に係合爪４６aが設けられ下方に延びる弾性保持片４６が形成されている。上記係合部４５のパイプ１８に面する側には前記突条４２に嵌合するスリット４７が形成されている。
【００１８】
しかして、ベルト２７をパイプ１８に取り付ける場合には、ベルト２７の先端の係合リング４３の係合部４５をフック部材４０のフック片４１に上方から嵌合させると、弾性保持片４６の係合爪４６aがフック部材４０の下端に係合し、係合リング４３がフック部材４０に固定される。一方、ベルト２７をパイプ１８から取り外す場合には、弾性保持片４３を外方に押し広げながら係合リング４３を上方に移動させることによって簡単に係合リング４３をフック部材４０から離脱させることができる。
【００１９】
【発明の効果】
以上説明したように、本発明は、ベルトが装着されるベルト取付本体にフック片を有するフック部材を固着するとともに、ベルトの先端に取り付けられた係合リングを上記フック部材に係合するようにしたベルト取着装置において、上記フック部材に、上記フック片に係合された係合リングに係合しその係合リングを保持固定する弾性保持片を設けたので、フック片に係合された係合リングをさらに弾性保持片に係合させることによって容易にベルトをパイプ等のベルト取付本体に取り付けることができる。また、上記ベルトを取り外す場合には係合リンクと弾性保持片との係合をその弾性を利用して離脱させることによって容易にベルトを取り外すことができ、ベルトの着脱を必要に応じて容易に行うことができる。
【図面の簡単な説明】
【図１】本発明のベルト取着装置のベルト取付状態を示す斜視図。
【図２】（A）及び（B）は、本発明におけるフック部材への係合リングの係合作動状態説明図。
【図３】本発明の他の実施の形態を示す斜視図。
【図４】ベビーカー本体の斜視図。
【図５】ベビーカー本体にシートを取り付けた状態の斜視図。
【図６】ベビーカー本体にチャイルドシート装着状態を示す図。
【符号の説明】
１８    パイプ
２７    ベルト
３０、４０  フック部材
３１、４１  フック片
３２、４６  弾性保持片
３４、４５  係合リング
３５  係合杆
３６  係止杆
【図１】
0004738581.tif 000002
【図２】
0004738581.tif 000003
【図３】
0004738581.tif 000004
【図４】
0004738581.tif 000005
【図５】
0004738581.tif 000006
【図６】
0004738581.tif 000007